(57)【要約】【課題】歯ブラシの保持及び取り出しが容易であり、且つ、歯ブラシを衛生的に清潔に保持することができる歯ブラシ用ホルダーを提供する。【解決手段】基板２と、基板２の表面に突設して設けた、歯ブラシ３の柄４を保持するためのホルダー部５と、基板２の裏面に配設した、基板２を他物体に取り付けるための取付部６とを備え、ホルダー部５は、基板２から突出する弾性を有する一対の突出体７，７から成り、弾性を有する一対の突出体７，７により歯ブラシ３の柄４を着脱自在に挟持するように構成された歯ブラシ用ホルダー１を提供する。一対の突出体７，７は、互いに平行に所定間隔離間し、且つ、互いの先端部が所定間隔まで近接するように互いに対峙して、基板２表面から夫々断面略円弧状の曲板状に突設し、一対の突出体７，７と基板２との間に歯ブラシ３の柄４を抱持するスペース８がホルダー部５の軸方向全長に及んで形成されている。【選択図】図２
0003161131.tif 000002
【実用新案登録請求の範囲】
【請求項１】
基板と、前記基板の表面に突設して設けた、歯ブラシの柄を保持するためのホルダー部と、前記基板の裏面に配設した、前記基板を他物体に取り付けるための取付部とを備え、前記ホルダー部は、前記基板から突出する弾性を有する一対の突出体から成り、前記弾性を有する一対の突出体により歯ブラシの柄を着脱自在に挟持するように構成されていることを特徴とする歯ブラシ用ホルダー。
【請求項２】
前記一対の突出体は、互いに平行に所定間隔離間し、且つ、互いの先端部が所定間隔まで近接するように互いに対峙して、前記基板表面から夫々断面略円弧状の曲板状に突設し、前記一対の突出体と前記基板との間に歯ブラシの柄を抱持するスペースが前記突出体の軸方向全長に及んで形成されるように構成されることを特徴とする請求項１記載の歯ブラシ用ホルダー。
【請求項３】
前記スペースは下方に向かって漸次狭くなるようにテーパ状に形成され、歯ブラシの柄が前記スペースの少なくとも下方側で挟持されるように構成されていることを特徴とする請求項２記載の歯ブラシ用ホルダー。
【請求項４】
前記取付部は、前記基板の裏面に配設したスポンジシール、又は、吸盤を備えることを特徴とする請求項１乃至３のうちいずれか一に記載の歯ブラシ用ホルダー。
【請求項５】
請求項１乃至４のうちいずれか一に記載の歯ブラシ用ホルダーを１ユニットとして、複数ユニットの前記歯ブラシ用ホルダーが平行に前記基板の隣接する側縁で連結する如く一体に形成され、連結部分には連結部分全長に延びる溝が形成され、前記溝により各ユニットが分離できるように構成されていることを特徴とする歯ブラシ用ホルダー。
【請求項６】
前記複数ユニットは、２ユニットであることを特徴とする請求項５記載の歯ブラシ用ホルダー。
【考案の詳細な説明】
【技術分野】
【０００１】
本考案は、歯ブラシの保持及び取り出しが容易であり、且つ、歯ブラシを衛生的に清潔に保持することができる歯ブラシ用ホルダーに関するものである。
【背景技術】
【０００２】
従来、歯ブラシは、家庭に於いては、歯ブラシケースに収納したり、洗面台のポケットに立てかけておいたり、コップに入れておくことが一般的である。
歯ブラシケースに収納する場合は、その収納及び取り出しが面倒であったり、歯ブラシが乾かないうちに収納すると不衛生であるという問題があった。
又、洗面台のポケットに立てかけておくことは、周りに発生するカビ等の影響で不衛生であるという問題があった。
【０００３】
コップに立てかける場合も、例えば、誤って歯ブラシを逆さま（毛先がコップの底）にコップに入れてしまうと、コップが清潔でない場合、不衛生であるという問題があった。
一方、宿泊先に於いても、歯ブラシは歯ブラシケースに収納したり、洗面台の周りに置くことになり、特に、洗面台の周りに置くことは、不衛生であった。
【０００４】
この種技術の先行文献として、例えば、特許文献１がある。特許文献１には、吸着板等の取り付け手段を設けた背面部と、歯ブラシを掛けて保持するための歯ブラシ支持用の溝を有する底面部とを少なくとも有しており、その断面形状が全体としてほぼＤの字又はＬの字或いはコの字上をしているホルダー本体を備えた歯ブラシホルダーが記載されている。
【先行技術文献】
【特許文献】
【０００５】
【特許文献１】実用新案登録第３１１６６５２号公報
【考案の概要】
【考案が解決しようとする課題】
【０００６】
前述したように、従来、歯ブラシを清潔に保持したり、歯ブラシの収納、保持及び取り出しが容易に行えないという問題があった。
又、特許文献１は、歯ブラシの毛先に近いネック部分を溝部で保持するものであり、歯ブラシの毛先に近いネック部分は、歯ブラシを使う時に、口の中に挿入する部分であることから、ネック部分を保持する溝部が汚れている場合、衛生上の問題が発生する。
【０００７】
以上の現状に鑑み、本考案は、歯ブラシの保持及び取り出しが容易であり、且つ、歯ブラシを衛生的に清潔に保持することができる歯ブラシ用ホルダーを提供することを目的とする。
【課題を解決するための手段】
【０００８】
上記の課題を解決すべく、本考案は以下の構成を提供する。
請求項１に係る考案は、基板と、前記基板の表面に突設して設けた、歯ブラシの柄を保持するためのホルダー部と、前記基板の裏面に配設した、前記基板を他物体に取り付けるための取付部とを備え、前記ホルダー部は、前記基板から突出する弾性を有する一対の突出体から成り、前記弾性を有する一対の突出体により歯ブラシの柄を着脱自在に挟持するように構成されていることを特徴とする歯ブラシ用ホルダーを提供するものである。
【０００９】
請求項２に係る考案は、前記一対の突出体は、互いに平行に所定間隔離間し、且つ、互いの先端部が所定間隔まで近接するように互いに対峙して、前記基板表面から夫々断面略円弧状の曲板状に突設し、前記一対の突出体と前記基板との間に歯ブラシの柄を抱持するスペースが前記突出体の軸方向全長に及んで形成されるように構成されることを特徴とする請求項１記載の歯ブラシ用ホルダーを提供するものである。
【００１０】
請求項３に係る考案は、前記スペースは下方に向かって漸次狭くなるようにテーパ状に形成され、歯ブラシの柄が前記スペースの少なくとも下方側で挟持されるように構成されていることを特徴とする請求項２記載の歯ブラシ用ホルダーを提供するものである。
【００１１】
請求項４に係る考案は、前記取付部は、前記基板の裏面に配設したスポンジシール、又は、吸盤を備えることを特徴とする請求項１乃至３のうちいずれか一に記載の歯ブラシ用ホルダーを提供するものである。
【００１２】
請求項５に係る考案は、請求項１乃至４のうちいずれか一に記載の歯ブラシ用ホルダーを１ユニットとして、複数ユニットの前記歯ブラシ用ホルダーが平行に前記基板の隣接する側縁で連結する如く一体に形成され、連結部分には連結部分全長に延びる溝が形成され、前記溝により各ユニットが分離できるように構成されていることを特徴とする歯ブラシ用ホルダーを提供するものである。
【００１３】
請求項６に係る考案は、前記複数ユニットは、２ユニットであることを特徴とする請求項５記載の歯ブラシ用ホルダーを提供するものである。
【考案の効果】
【００１４】
本考案の請求項１記載の考案によれば、歯ブラシの保持及び取り出しが容易であり、且つ、歯ブラシを衛生的に清潔に保持する歯ブラシ用ホルダーを提供することができる。
【００１５】
本考案の請求項２記載の考案によれば、請求項１記載の考案の効果に加え、歯ブラシの柄を容易に上から挿入して保持させることができると共に、歯ブラシを上方に抜き出して取り出すことができ、且つ、歯ブラシを回転させて、歯ブラシ用ホルダーの前方から取り出すことができる。
【００１６】
本考案の請求項３記載の考案によれば、請求項２記載の考案の効果に加え、歯ブラシの柄を挟持するスペースがテーパ状に形成されているので、サイズの異なる歯ブラシの柄を夫々確実に挟持できる。又、歯ブラシの柄を深く挿入すれば、歯ブラシが強い力で保持され、歯ブラシがより安定して保持される。
【００１７】
本考案の請求項４記載の考案によれば、請求項１乃至３のうちいずれか一に記載の考案の効果に加え、基板の裏面に配設したスポンジシール、又は、吸盤によって、歯ブラシ用ホルダーの取付けが確実且つ容易となる。
【００１８】
本考案の請求項５記載の考案によれば、複数ユニットが一体に形成された歯ブラシ用ホルダーにより、１乃至複数の歯ブラシのホルダーとして使用できると共に、各ユニットを溝により適宜分離することにより、夫々１乃至複数の歯ブラシのホルダーとして使用することができる。
【００１９】
本考案の請求項６記載の考案によれば、請求項５記載の考案の効果に加え、歯ブラシ用ホルダーを一体のまま、１乃至２本用の歯ブラシのホルダーとして使用することができると共に、歯ブラシ用ホルダーを各ユニットに分離して夫々１本用の歯ブラシのホルダーとして使用することができる。
【図面の簡単な説明】
【００２０】
【図１】本考案による第１実施例の歯ブラシ用ホルダーの斜視図である。
【図２】本考案による第１実施例の歯ブラシ用ホルダーの使用状態を示す斜視図である。
【図３】本考案による第１実施例の歯ブラシ用ホルダーの平面図である。
【図４】本考案による第１実施例の歯ブラシ用ホルダーの正面図である。
【図５】（ａ）本考案による第１実施例の歯ブラシ用ホルダーに歯ブラシを挿入した状態を示す側面図である。（ｂ）本考案による第１実施例の歯ブラシ用ホルダーから歯ブラシを前方へ取り出す状態を示す側面図である。
【図６】本考案による第２実施例の歯ブラシ用ホルダーの斜視図である。
【図７】本考案による第２実施例の歯ブラシ用ホルダーの平面図である。
【図８】本考案による第２実施例の歯ブラシ用ホルダーの正面図である。
【図９】本考案による第２実施例の歯ブラシ用ホルダーの使用状態を示す斜視図である。
【図１０】本考案による第２実施例の歯ブラシ用ホルダーを各ユニットに分離した状態を示す平面図である。
【図１１】本考案による第３実施例の歯ブラシ用ホルダーの平面図である。
【図１２】本考案による第４実施例の歯ブラシ用ホルダーの平面図である。
【図１３】本考案による第５実施例の歯ブラシ用ホルダーの正面図である。
【図１４】本考案による第６実施例の歯ブラシ用ホルダーの正面図である。
【考案を実施するための形態】
【００２１】
以下、実施例を示した図面を参照しつつ本考案の実施の形態を説明する。
図１及び図２に於いて、１は本考案による第１実施例の歯ブラシ用ホルダーであり、歯ブラシ用ホルダー１は、基板２と、基板２の表面に突設して設けた、歯ブラシ３の柄４を保持するためのホルダー部５と、基板２の裏面に配設した、基板２を他物体に取り付けるための取付部６とを備えている。基板２とホルダー部５とは同材料で一体に形成されても良く、或いは、別材料で形成されて互いに固着されても良い。
そして、前記ホルダー部５は、基板２から突出する、弾性を有するゴム又は軟質樹脂等から形成される一対の突出体７，７から成り、弾性を有する一対の突出体７，７により歯ブラシ３の柄４を着脱自在に挟持するように構成されている。
尚、基板２とホルダー部５とが別材料で形成される場合、基板２は、例えば、硬質の合成樹脂硬質で形成されることが望ましいが、それに限定されるものではなく、軟質の合成樹脂、ゴム、金属、木材、又は、紙等で形成されても良い。
【００２２】
又、図３及び図４に示す如く、前記一対の突出体７，７は、互いに平行に所定間隔離間し、且つ、互いの先端部が所定間隔まで近接するように対峙して、基板２表面から夫々断面略円弧状の曲板状に突設しており、一対の突出体７，７と基板２との間に歯ブラシ３の柄４を抱持するスペース８がホルダー部５の軸方向全長に及んで略半円柱状に形成されている。スペース８は、突出体７，７が歯ブラシ３の柄４を弾圧挟持して保持できるような大きさに形成されている。
そして、前記ホルダー部５には、一対の突出体７，７の先端部が近接する所定間隔の隙間によって、ホルダー部５の軸方向全長に及ぶスリット１１が形成されている。
又、前記取付部６は、発泡樹脂等から成るシート状のスポンジ体１２と、スポンジ体１２の一面側の全面に塗布された粘着剤１３と、粘着剤１３を全面被覆する剥離紙１４とで構成されるスポンジシール１５から成り、取付部６は、スポンジ体１２の他面側が接着剤１６を介して基板２の裏面側に接着される。
【００２３】
次に、図５に従い、前記歯ブラシ用ホルダー１の使用方法を説明する。
まず、図５（ａ）に示す如く、剥離紙（図３に於いて１４）を剥がした歯ブラシ用ホルダー１を、ホルダー部５の軸方向が鉛直方向となるようにして、粘着剤１３を介して、壁面や扉等１７に取り付ける。
この時、基板２の表面側を押して、スポンジ体１２に塗布された粘着剤１３を壁面や扉等１７側に押し付ければ、スポンジ体１２の弾力により略均等な力で粘着剤１３が押し付けられて壁面や扉等１７に粘着し、壁面や扉等１７に歯ブラシ用ホルダー１が取付けられる。
【００２４】
この状態で、歯ブラシ用ホルダー１のホルダー部５のスペース８上端から、歯ブラシ３の柄４をその下端部から矢印の如く挿入する。
歯ブラシ３の柄４が所定長さ、或いは、歯ブラシ３の柄４の下端部がホルダー部５の下端部から突出するようにホルダー部５に挿入されると、ホルダー部５が所定の力で歯ブラシ３の柄４を保持し、保持状態が維持される。
この状態で、柄４が保持された部分を除いて、歯ブラシ３は外気に触れているので濡れていても乾燥しやすくなる。
【００２５】
次に、歯ブラシ用ホルダー１から、歯ブラシ３を取り出す場合は、歯ブラシ３の柄４の上端部（首部）、又は、ブラシ又はブラシを植毛している部分から成るブラシ部分１８を把持して、歯ブラシ３を前記矢印と反対方向である上方に引上げれば歯ブラシ３を取り出すことができる。
或いは、図５（ｂ）に示す如く、歯ブラシ３の柄４の上端部（首部）、又は、ブラシ部分１８を把持して、歯ブラシ３を同図に於いて矢印の如く回転させるように左方に引けば、歯ブラシ３の柄４がホルダー部５のスリット１１から一対の突出体７，７の先端部を変形させながら抜け出し、歯ブラシ３を取り出すことができる。
【００２６】
本考案の第２実施例の歯ブラシ用ホルダーは、前記歯ブラシ用ホルダー１を１ユニットとして、複数ユニットの歯ブラシ用ホルダー１，１…が連結する如く一体に形成されたものである。
図６乃至８図に於いて、２１は、第２実施例の歯ブラシ用ホルダーの一例として、２ユニットの歯ブラシ用ホルダー１，１が連結する如く一体に形成された歯ブラシ用ホルダーを示し、歯ブラシ用ホルダー２１は、２ユニットの歯ブラシ用ホルダー１，１が、平行に夫々の基板２，２の隣接する側縁で連結する如く一体に形成された共通基板２２が形成され、共通基板２２の中央部分、即ち、基板２，２の連結部分には、連結部分全長に延びる切り込み加工された溝２３が形成され、溝２３により基板２，２が分離され、それによって、歯ブラシ用ホルダー２１が各ユニットの歯ブラシ用ホルダー１，１に分離できるように構成されている。
【００２７】
そして、前記基板２，２と同様に、スポンジ体１２，１２も隣接する側縁で連結する如く一体に形成されて共通スポンジ体２４が形成される。但し、共通スポンジ体２４は軟性材料で形成され、分離が容易であるため、共通基板２２に形成される溝２３に相当する溝は形成されないが、溝又はミシン目等を形成したり、予め各スポンジ体１２，１２に分離しておくことも可能である。
又、前記スポンジ体１２，１２と同様に、剥離紙１４，１４も隣接する側縁で連結する如く一体に形成された共通剥離紙２５が形成される。但し、共通剥離紙２５は紙で形成され、分離が容易であるため、分離用のミシン目等は形成されないが、ミシン目等を形成したり、予め各剥離紙１４，１４に分離しておくことも可能である。
【００２８】
次に、前記第２実施例の歯ブラシ用ホルダー２１の使用方法を説明する。
まず、共通剥離紙２５を剥がした歯ブラシ用ホルダー２１を、ホルダー部５の軸方向が鉛直方向となるようにして、共通スポンジ体２４の粘着剤１３を介して、壁面や扉等（図１に於いて１７）に取り付ける。
この時、共通基板２２の表面側を押して、共通スポンジ体２４に塗布された粘着剤１３を壁面や扉等（図１に於いて１７）に押し付ければ、共通スポンジ体２４の弾力により略均等な力で粘着剤１３が壁面や扉等（図１に於いて１７）に粘着する。
【００２９】
この状態で、図９に示す如く、歯ブラシ用ホルダー２１の一方のホルダー部５のスペース８上端から、歯ブラシ３の柄４をその下端部から挿入する。
歯ブラシ３の柄４が所定長さ、或いは、歯ブラシ３の柄４の下端部がホルダー部５の下端部から突出するようにホルダー部５に挿入されると、ホルダー部５が所定の力で歯ブラシ３の柄４を保持し、保持状態が維持される。
この状態で、柄４が保持された部分を除いて、歯ブラシ３は外気に触れているので濡れていても乾燥しやすくなる。
同様にして、歯ブラシ用ホルダー２１の他方のホルダー部５にも歯ブラシ３を保持させることができる。
【００３０】
次に、歯ブラシ用ホルダー２１から、歯ブラシ３を取り出す場合は、図５（ａ）に示す如く、歯ブラシ３の柄４の上端部（首部）、又は、ブラシ又はブラシを植毛している部分から成るブラシ部分１８を把持して、歯ブラシ３を矢印と反対方向である上方に引上げれば歯ブラシ３を取り出すことができる。
或いは、図５（ｂ）に示す如く、歯ブラシ３の柄４の上端部（首部）、又は、ブラシ部分１８を把持して、歯ブラシ３を同図に於いて矢印の如く回転させるように左方に引けば、歯ブラシ３の柄４がホルダー部５のスリット１１から一対の突出体７，７の先端部を変形させながら抜け出し、歯ブラシ３を取り出すことができる。
同様にして、歯ブラシ用ホルダー２１の他方のホルダー部５に挿入された歯ブラシ３も取り出すことが可能である。
【００３１】
図１０は、前図７に示す前記歯ブラシ用ホルダー２１の共通基板２２を、共通基板２２の中央部分、即ち、基板２，２の連結部分に相当する溝２３により基板２，２に分離し、同時に、溝２３に沿って、共通スポンジ体２４と、共通剥離紙２５とを分離したものである。溝２３と共通スポンジ体２４と共通剥離紙２５は、溝２３に沿ってハサミ又はカッター等で同時に切断することにより分離させることができるが、溝２３は、折り曲げ等により分離させても良い。
このように分離して、夫々１ユニットの歯ブラシ用ホルダー１として前述と同様に使用することも可能である。
【００３２】
前述した歯ブラシ用ホルダー２１は、２ユニットの歯ブラシ用ホルダー１，１が連結する如く一体に形成されたものであるが、３ユニット以上の複数ユニットの歯ブラシ用ホルダー１，１…が連結する如く一体に形成された場合も、その全ユニット数以内の歯ブラシ３，３…の保持が可能となり、又、１乃至複数の歯ブラシ用ホルダーに分離して夫々使用することも可能である。
【００３３】
図１１に於いて、３１は、第３実施例の歯ブラシ用ホルダーを示し、歯ブラシ用ホルダー３１は、前記歯ブラシ用ホルダー（図１に於いて１）の取付部６を吸盤３２としたものである。
歯ブラシ用ホルダー３１は、基板２の裏面に固着された吸盤３２が壁面や扉等（図１に於いて１７）に吸着することにより、歯ブラシ用ホルダー３１が、壁面や扉等（図１に於いて１７）に取り付けられる。
【００３４】
本考案の第４実施例の歯ブラシ用ホルダーは、前記歯ブラシ用ホルダー３１を１ユニットとして、複数ユニットの歯ブラシ用ホルダー３１，３１…が連結する如く一体に形成されたものである。
図１２に於いて、４１は、本考案の第４実施例の歯ブラシ用ホルダーとしての一例として示した歯ブラシ用ホルダーであり、歯ブラシ用ホルダー４１は、２ユニットの歯ブラシ用ホルダー３１，３１が連結する如く一体に形成されたものである。
歯ブラシ用ホルダー４１は、２ユニットの歯ブラシ用ホルダー３１，３１が連結する如く一体に形成されたまま使用することも可能であり、連結部分に形成された溝により分離して各ユニットの歯ブラシ用ホルダー３１，３１として、別々に使用することも可能である。
前述した歯ブラシ用ホルダー４１は、２ユニットの歯ブラシ用ホルダー３１，３１が連結する如く一体に形成されたものであるが、３ユニット以上の複数ユニットの歯ブラシ用ホルダー３１，３１…が連結する如く一体に形成された場合も、その全ユニット数以内の歯ブラシ３，３…の保持が可能となり、又、１乃至複数の歯ブラシ用ホルダーに夫々分離して使用することも可能である。
【００３５】
図１３に於いて、５１は、第５実施例の歯ブラシ用ホルダーを示し、歯ブラシ用ホルダー５１は、前記歯ブラシ用ホルダー（図１に於いて１）のホルダー部５のスペース８を下方に向かって漸次狭くなるようにテーパ状に形成し、歯ブラシ３の柄４がスペース８の少なくとも下方側で挟持されるように構成されたものである。
これにより、使用する歯ブラシ３によって、その柄４の断面の大きさが多少異なる場合に於いても、テーパ状に形成したスペース８の部分で柄４を確実に保持することが可能となる。
【００３６】
本考案の第６実施例の歯ブラシ用ホルダーは、前記歯ブラシ用ホルダー５１を１ユニットとして、複数ユニットの歯ブラシ用ホルダー５１，５１…が連結する如く一体に形成されたものである。
図１４に於いて、６１は、本考案の第６実施例の歯ブラシ用ホルダーとしての一例として示した歯ブラシ用ホルダーであり、歯ブラシ用ホルダー６１は、前記歯ブラシ用ホルダー５１を１ユニットとして、２ユニットの歯ブラシ用ホルダー５１，５１が連結する如く一体に形成されたものである。
歯ブラシ用ホルダー６１は、２ユニットの歯ブラシ用ホルダー５１，５１が連結する如く一体に形成されたまま使用することも可能であり、連結部分に形成された溝により分離して各ユニットの歯ブラシ用ホルダー５１，５１として、別々に使用することも可能である。
前述した歯ブラシ用ホルダー６１は、２ユニットの歯ブラシ用ホルダー５１，５１が連結する如く一体に形成されたものであるが、３ユニット以上の複数ユニットの歯ブラシ用ホルダー５１，５１…が連結する如く一体に形成された場合も、その全ユニット数以内の歯ブラシ３，３…の保持が可能となり、又、１乃至複数の歯ブラシ用ホルダーに夫々分離して使用することも可能である。
【符号の説明】
【００３７】
１，２１，３１，４１，５１，６１  歯ブラシ用ホルダー
２  基板
３  歯ブラシ
４  柄
５  ホルダー部
６  取付部
７  突出体
８  スペース
１５  スポンジシール
１６  接着剤
１７  壁面や扉等
２３  溝
３２  吸盤
【図１】
0003161131.tif 000003
【図２】
0003161131.tif 000004
【図３】
0003161131.tif 000005
【図４】
0003161131.tif 000006
【図５】
0003161131.tif 000007
【図６】
0003161131.tif 000008
【図７】
0003161131.tif 000009
【図８】
0003161131.tif 000010
【図９】
0003161131.tif 000011
【図１０】
0003161131.tif 000012
【図１１】
0003161131.tif 000013
【図１２】
0003161131.tif 000014
【図１３】
0003161131.tif 000015
【図１４】
0003161131.tif 000016